(57)【要約】【課題】砕波帯から遡上帯においても安定して砂の移動を抑制することができる、海岸保全施設を提供する。【解決手段】袋体と、前記袋体内部に充填する充填材と、前記充填材の複数箇所を貫通して前記袋体の対向する両側面に接続する連結材と、により構成する。【選択図】図１
2012107422.tif 000002
【特許請求の範囲】
【請求項１】
袋体と、
前記袋体内部に充填する充填材と、
前記充填材の複数箇所を貫通して前記袋体の対向する両側面に接続する連結材と、により構成することを特徴とする、海岸保全施設。
【請求項２】
請求項１に記載の海岸保全施設の構築方法であって、
袋体の内部において対向する両側面を連結材により連結するステップと、
前記袋体の内部に充填材を充填するステップと、
前記連結材を引張して前記連結材に緊張力を付与するステップと、からなることを特徴とする海岸保全施設の構築方法。
【請求項３】
請求項１に記載の海岸保全施設の構築方法であって、
袋体の内部において対向する両側面を連結材により連結するステップと、
前記連結材に所定の緊張力が作用するまで前記袋体の内部に充填材を充填するステップと、からなることを特徴とする海岸保全施設の構築方法。
【発明の詳細な説明】
【技術分野】
【０００１】
本発明は海岸保全施設及びその構築方法に関する。
【背景技術】
【０００２】
従来、特に海外においては、護岸、突堤、人工リーフ、離岸提、防波堤等の海岸保全施設や河川構造物を、筒状の袋体により構築する方法が用いられている。
しかし、日本の海岸地形は遠浅ではなく急峻となっている場所が多く、波のエネルギーが減衰せずに海岸へ到達するため、筒状の袋体は不安定であり、特に砕波帯から遡上帯において安定性を確保することができない。
【先行技術文献】
【特許文献】
【０００３】
【特許文献１】特開平８−２１８３４１
【発明の概要】
【発明が解決しようとする課題】
【０００４】
本願は、砕波帯から遡上帯においても安定して砂の移動を抑制することができる、海岸保全施設及びその構築方法を提供することを目的とする。
【課題を解決するための手段】
【０００５】
本願の海岸保全施設に係る発明は、袋体と、前記袋体内部に充填する充填材と、前記充填材の複数箇所を貫通して前記袋体の対向する両側面に接続する連結材と、により構成することを特徴とする。
さらに前記した海岸保全施設の構築方法に係る発明は、袋体の内部において対向する両側面を連結材により連結するステップと、前記袋体の内部に充填材を充填するステップと、前記連結材を引張して前記連結材に緊張力を付与するステップと、からなることを特徴とする。
さらに前記した海岸保全施設の構築方法にかかる発明は、袋体の内部において対向する両側面を連結材により連結するステップと、前記連結材に所定の緊張力が作用するまで前記袋体の内部に充填材を充填するステップと、からなることを特徴とする。
【発明の効果】
【０００６】
本発明は上記した課題を解決するための手段により、次のような効果の少なくとも一つを得ることができる。
＜１＞袋体の内部に充填材を充填して構成するため、構築が容易であり、短期間で施工することができる。
＜２＞袋体の両側面を連結材によって連結するため、波浪により袋体が膨張することがない。
＜３＞袋体の内部は複数の連結材により分割されるため、袋体内部での充填材の移動が抑制され、充填材の移動による袋体の変形が抑制される。
＜４＞連結材には緊張力を付与するため、袋体内部の充填材が複数の区画で拘束されることにより、強度の高い構造となり、変形が抑制される。
＜５＞袋体内部の充填材の移動や、袋体の変形が抑制されるため、袋体そのものの移動がなく、安定した海岸保全施設を構築することができる。
＜６＞充填材に現地の砂礫を使用できるので、海岸保全施設の製造コストが低廉となる。
【図面の簡単な説明】
【０００７】
【図１】本発明に係る海岸保全施設の斜視図
【図２】本発明に係る海岸保全施設の断面図
【発明を実施するための形態】
【０００８】
以下図面を参照しながら本発明について詳細に説明する。
【０００９】
［１］海岸保全施設の構造
本発明に係る海岸保全施設は、袋体１０と、袋体内部に充填する充填材２０と、袋体内部に配置する複数の連結材３０とにより構成する。（図１）
【００１０】
＜１＞袋体
袋体１０は耐久性、耐摩耗性、耐候性に優れた素材を袋状に形成したものである。
袋体１０の素材は、例えば、ポリエステルの長繊維を織りまたは編んだメッシュ状の生地である。
袋体１０の網目は、内部に充填する充填材２０の流出防止を図るため、充填材２０の粒径よりも小さく形成する。
【００１１】
＜２＞充填材
充填材２０は海岸保全施設に重量を付与する重錘で、例えば砂、砂利、礫、金属粒、廃棄物から生成した粒体等が使用可能である。
充填材２０として現地の砂礫を用いれば、現地の海底から水中サンドポンプにより吸い上げた砂礫を水と一緒にメッシュ状の袋体１０内へ放出するだけで、水のみが自然排水するので袋体１０内へ充填材２０を低コストで充填できる。
充填材２０はバックホウなどの重機を用いて、水中ポンプにより水を注入したホッパー内に砂礫を投入して充填してもよい。
【００１２】
＜３＞連結材
連結材３０は、袋体１０の内部において、袋体１０の対向する両側面を連結するものであり、樹脂、繊維等の可撓性と非伸縮性を有する素材からなるロープ材又はベルト材である。
【００１３】
＜４＞緊張力の付与
連結材３０は、あらかじめ連結具３１を介して袋体１０に連結してある。
連結材３０は、両端を袋体１０に連結するが、少なくとも一方の端部は袋体１０を貫通し、袋体１０から突出した状態で連結する。
次に、袋体１０に充填材２０を充填し、袋体１０を封止する。
そして、連結材３０の袋体１０から突出した端部を引張し、再度連結具３１により袋体１０に固定する。
連結材３０は非伸縮性を有するため、連結材３０の緊張力で袋体１０の両側面によって、内部の充填材２０が挟持される。
また、連結材３０を引張せず、連結材３０に所定の緊張力が作用するまで充填材２０を充填してもよい。
【００１４】
［２］作用
＜１＞海岸保全施設の形状
本発明に係る海岸保全施設は、海岸、特に砕波帯から遡上帯において、底砂上に配置するものである。
袋体１０は、連結材３０によって両側面を連結しているため、内部に充填材２０を充填しても両側面間の距離が変わらず、座布団状となる。
そして袋体１０を封止し、連結材３０により連結した両側面が上下になるように配置することで、充填材２０が重錘となり、海岸の底砂上に底面に沿った座布団形状で配置される。
底砂上で底面に沿った座布団状となるため、砕波帯から遡上帯であっても安定して砂の移動を抑制することができる。
従来、このような海岸保全施設はコンクリート製の構造物であったが、本発明に係る海岸保全施設は袋体に充填材を充填して構成することにより、低廉な製造コストで構築することができる。
【００１５】
＜２＞連結材による袋体の連結
本発明に係る海岸保全施設は、袋体１０の両側面を複数の連結材３０により連結する。
連結材３０がない場合、袋体１０に充填材２０を充填すると、充填率の上昇に伴い、袋体１０の両側面が広がり、円形の断面構造となってしまい、目標とする高さよりも高い海岸保全施設となってしまう。そして、目標とする高さとするためには、充填する充填材２０を減らして充填率を下げる必要があるが、そうすると軽量な海岸保全施設となり、不安定となってしまう。
しかし、袋体１０の両側面を連結材３０により連結することにより、充填率を上げても袋体１０の両側面が広がることなく、座布団形状が維持される。充填率を上げることにより袋体１０にも緊張力が作用し、袋体１０により内部の充填材２０が拘束される。これにより、重量のある安定した海岸保全施設とすることができる。
【００１６】
また、本発明に係る海岸保全施設は、袋体１０の両側面を複数の連結材３０により連結しており、底砂上に配置した際には、袋体１０の上下が連結材３０により連結された状態となる。
このため、設置時の空気の混入や波浪により、袋体１０が膨張して変形することがない。
【００１７】
また、充填材２０は、複数の連結材３０により立体的に区画されている。連結材３０には緊張力が付与されているため、各区画の充填材２０は袋体１０により拘束される。
充填材２０が複数の区画で拘束されることにより、充填材２０の各粒子間のインターロッキング効果と、袋体１０の拘束作用が組み合わさり、充填材２０をせん断強度、曲げ強度及びじん性の高い土塊状とすることができる。
袋体１０内部の充填材２０が土塊状となることにより、波浪による充填材２０の移動や袋体１０の端部の捲れ上がりがなくなり、内部構造の変動による局所的な抵抗力の低下を防ぎ、安定した構造とすることができる。
【符号の説明】
【００１８】
１０      袋体
２０      充填材
３０      連結材
３１      固定具
【図１】
2012107422.tif 000003
【図２】
2012107422.tif 000004